(57)【要約】【課題】  機器の操作に加えて、データの記憶や送受信を行うことが可能な操作装置を提供するものである。【解決手段】  車両２に搭載した機器である車両用補助計器５を遠隔操作する操作装置１において、車両用補助計器５との間でデータを送受信する送受信部１１と、この送受信部１１にて送受信するデータを記憶する書き換え可能な記憶部１３と、を備えたものである。また、車両２のステアリングホイール３に設けたホルダー１２によって、ステアリングホイールに着脱可能である。【選択図】  図２
2007008351.tif 000002
【特許請求の範囲】
【請求項１】
車両に搭載した機器を遠隔操作する操作装置において、前記機器との間でデータを送受信する送受信部と、この送受信部にて送受信するデータを記憶する書き換え可能な記憶部と、を備えたことを特徴とする操作装置。
【請求項２】
車両のステアリングホイールに着脱可能な取付部を設けたことを特徴とする請求項１に記載の操作装置。
【請求項３】
前記記憶部を着脱自在な記憶媒体としたことを特徴とする操作装置。
【発明の詳細な説明】
【技術分野】
【０００１】
本発明は、操作装置に関し、特に、車両に搭載した機器を遠隔操作する操作装置に関するものである。
【背景技術】
【０００２】
従来の操作装置は、車両に搭載した機器、例えば、ナビゲーション装置等を遠隔操作するものがあった（例えば、特許文献１参照）。
【特許文献１】特開２００３−２０４５８３号公報
【発明の開示】
【発明が解決しようとする課題】
【０００３】
近年、ナビゲーション装置等の車両に搭載する機器は、大容量の記憶装置を備えるとともに、ブルートゥース等の無線による通信機能を備えている。そして、この無線通信を利用して、携帯電話などとデータの送受信を行うことが可能となっている。他方、機器を専用に操作するリモコンなどの操作装置は、単に機器を操作するのみで、データの送受信などの用途に使用することができないという問題があった。
【０００４】
そこで、本発明は前述した問題点に着目し、機器の操作に加えて、データの記憶や送受信を行うことが可能な操作装置を提供するものである。
【課題を解決するための手段】
【０００５】
本発明は、前記課題を解決するため、車両に搭載した機器を遠隔操作する操作装置において、前記機器との間でデータを送受信する送受信部と、この送受信部にて送受信するデータを記憶する書き換え可能な記憶部と、を備えたものである。
【０００６】
また、車両のステアリングホイールに着脱可能な取付部を設けたものである。
【０００７】
また、前記記憶部を着脱自在な記憶媒体としたものである。
【発明の効果】
【０００８】
本発明は、機器の操作に加えて、データの記憶や送受信を行うことが可能な操作装置を提供することができる。
【発明を実施するための最良の形態】
【０００９】
本発明は、車両２に搭載した機器である車両用補助計器５を遠隔操作する操作装置１において、車両用補助計器５との間でデータを送受信する送受信部１１と、この送受信部１１にて送受信するデータを記憶する書き換え可能な記憶部１３と、を備えたものである。このように構成したことによって、車両用補助計器５などの機器の操作に加えて、データの送受信を行うことが可能な操作装置１を提供することができる。
【００１０】
また、車両２のステアリングホイール３に着脱可能な取付部であるホルダー１２を設けたものである。このように構成したことによって、車両用補助計器５などの機器の操作に加えて、データの送受信を行うことが可能な操作装置１を提供することができるとともに、さらに、ステアリングホイール３に取り付けることで、操作性の良い操作装置１を提供することができる。
【００１１】
また、記憶部１３を着脱自在な記憶媒体としたものである。このように構成したことによって、車両用補助計器５などの機器の操作に加えて、データの送受信を行うことが可能な操作装置１を提供することができるとともに、さらに、データを記憶する必要のない場合は、記憶媒体を装着せずに、車両用補助計器５の操作装置１としてのみ使用することが可能な操作装置を提供することができる。
【実施例１】
【００１２】
以下、本発明の第１実施例を添付図面に基づいて説明する。
【００１３】
図１は、本発明の操作装置１を車両のステアリングホイールに取り付けた状態の図であり、本発明の操作装置１は、車両２に設けたステアリングイール３の環状部分３ａに取り付けられている。操作装置１は、車両２のダッシュボード４上に設けた機器５、本実施例においては車両用補助計器５を遠隔操作するものである。この車両用補助計器５は、ドットマトリクスの液晶表示部を備えており、この液晶表示部で油温、水温、油圧、排気温度等を表示するものである。６はコンビネーションメータと呼ばれるものであり、速度計、エンジン回転計、エンジン冷却水温計、残燃料計、図示しない走行距離計及び警告表示灯等を備えている。７は空気吹き出し口である。
【００１４】
操作装置１の外観は、複数のスイッチ８１〜８７と、表示部９１〜９３とを備えている。複数のスイッチ８１〜８７は、車両用補助計器５を操作するものであり、スイッチを操作することで、車両用補助計器５の表示部にメニューを表示するとともに、メニューを選択するものである。表示部９１〜９３は、発光ダイオードなどの光源からなり、操作装置１の状態をその点灯状態によって、表示するものである。また、操作装置１は、その内部に制御部１０を内蔵している。また、制御部１０の他に、スイッチ８１〜８７で選択操作した内容を、車両用補助計器５に無線にて送受信するアンテナなどからなる送受信部１１を備えている。また、１３は、操作装置１から着脱可能な記憶部であり、車両用補助計器１で記録した走行時の車両状態の情報等を記憶するものである。なお、８は複数のスイッチ８１〜８７を備えたスイッチ操作部であり、９は、表示部９１〜９３を備えた表示部郡である。また、操作装置１は、電源として図示しない電池を内蔵している。
【００１５】
操作装置１は、ステアリングホイール３の環状部分３ａに取り付けた取付部であるホルダー１２によって、着脱自在に取り付けられている。このホルダー１２は、ステアリングホイール３の環状部分３ａの内側に位置する基礎部分１２ａと、この基礎部分１２ａを環状部分３ａに固定するベルト１２ｂとで構成されている。基礎部分１２ａには、操作装置１を着脱自在に取り付けることが可能なように、着脱固定部１２ｃが設けられている。この着脱固定部１２ｃは、図示しない固定用のレールと、操作装置１がはずれないように固定する爪部１２ｄとからなり、操作装置１には、前記レールに合致する図示しない案内部と、前記爪部１２ｄが係止する係止凹部１ａが左右２つ設けられており、操作装置１の前記案内部を前記レールに合致させて、爪部１２ｄが係止凹部１ａに係止して、前記案内部が前記レールからはずれることを防止するものである。図２においては、操作装置１に向かって右側の係止凹部１ａに係止している。操作装置１には、係止凹部１ａが左側にも設けてあるので、ホルダー１２をステアリングホイール３の左側の環状部分３ａに取り付ければ、操作装置１をステアリングホイール３の左側に取り付けることも可能である。
【００１６】
操作装置１と車両用補助計器５との通信は、無線通信技術を用い、本実施例においては、例えば、通称ブルートゥースと呼ばれる規格を採用している。なお、操作装置１の設定は、車両用補助計器５の表示部にて確認して設定するものである。また、操作装置１は、他の操作装置１や他の車両用補助計器５と互いにデータの送受信を行うことができる。よって、車両用補助計器５で蓄積したデータを、外部の車両診断装置などに送信することができ、車両診断装置を車両に接続することなく、データの送受信のみで行うことができる。さらに、操作装置１を車両から着脱できるので、操作装置１を取り外して、前記診断装置の近辺まで持ち運んで、診断装置にデータを送受信することができる。
【００１７】
記憶部１３は、着脱自在な記憶媒体であり、例えば、フラッシュメモリと呼ばれる書き換え可能な不揮発性半導体メモリなどを採用したメモリーカードが適切である。この記憶部１３には、車両用補助計器５で表示したデータなどを保存することができる。なお、この記憶部１３に記憶するデータは、車両用補助計器５に関係するデータに限定されず、音楽などのデータでも良い。なお、記憶部１３を着脱自在な記憶媒体としたことで、記憶部１３を操作装置１から取り外して持ち運んで他の機器の読み込み装置にて、データを読み込ませることも可能となる。
【００１８】
なお、記憶部１３は、着脱自在な記憶媒体であり、この記憶部１３を操作装置１から抜き取っても、操作装置１は、車両用補助計器５を操作することができる。
【図面の簡単な説明】
【００１９】
【図１】本発明の第１実施例の操作装置を車両に取り付けた状態を示す図。
【図２】同操作装置の正面図。
【図３】同操作装置のブロック図。
【符号の説明】
【００２０】
１    操作装置
２    車両
３    ステアリングホイール
３ａ  環状部分
４    ダッシュボード
５    車両用補助計器
６    コンビネーションメータ
７    空気吹き出し口
８    スイッチ操作部
９    表示部郡
１０    制御部
１１    送受信部
１２    ホルダー（取付部）
１３    記憶部
【図１】
2007008351.tif 000003
【図２】
2007008351.tif 000004
【図３】
2007008351.tif 000005